(57)【要約】【課題】初期化処理の後に表示した画像が画像を構成する画素の領域より広がって知覚されるのを抑える。【解決手段】電気光学装置は、表示部３を初期化する初期化処理では、まず奇数行で且つ奇数列の画素１００を黒、奇数行で且つ偶数列の画素１００を白、偶数行で且つ奇数列の画素１００を白、偶数行で且つ偶数列の画素１００を黒にする第１ステップを実行する。次に奇数行で且つ奇数列の画素１００を白、奇数行で且つ偶数列の画素１００を黒と、偶数行で且つ奇数列の画素１００を黒、偶数行で且つ偶数列の画素１００を白にする第２ステップで初期化処理を終了する。【選択図】図４
2012194344.tif 000002
【特許請求の範囲】
【請求項１】
帯電した粒子を第１電極と前記第１電極に対となる第２電極との間に備える複数の画素を備えた表示部を具備する電気光学装置の駆動方法であって、
前記表示部の画素を初期化する初期化処理は、前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする最終ステップで終了すること
を特徴とする電気光学装置の駆動方法。
【請求項２】
前記初期化処理は、前記第１領域の画素の階調を前記最終ステップにおける階調と異なる階調とする一方、前記第２領域の画素の階調を前記最終ステップにおける階調と異なる階調とするステップを前記最終ステップの前に有すること
を特徴とする請求項１に記載の電気光学装置の駆動方法。
【請求項３】
前記画素は行列で配置され、
前記画素毎に前記画素の表示状態を定める画素回路を備え、
前記画素回路の行毎に走査線を備え、
前記画素回路の列毎にデータ線を備え、
前記第１領域および前記第２領域は、前記データ線の伸びる方向に沿った領域であること
を特徴とする請求項１または請求項２に記載の電気光学装置の駆動方法。
【請求項４】
前記初期化処理においては、前記初期化処理の前に前記表示部に表示されていた画像に応じて前記第１領域および前記第２領域の大きさを変更すること
を特徴とする請求項１乃至請求項３のいずれかに記載の電気光学装置の駆動方法。
【請求項５】
帯電した粒子を第１電極と前記第１電極に対となる第２電極との間に備える複数の画素を備えた表示部を具備する電気光学装置の制御装置であって、
前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする処理で前記表示部の画素の初期化を終了する初期化手段を有すること
を特徴とする電気光学装置の制御装置。
【請求項６】
帯電した粒子を第１電極と前記第１電極に対となる第２電極との間に備える複数の画素を備えた表示部を具備する電気光学装置であって、
前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする処理で前記表示部の画素の初期化が終了されること
を特徴とする電気光学装置。
【請求項７】
請求項６に記載の電気光学装置を有することを特徴とする電子機器。
【発明の詳細な説明】
【技術分野】
【０００１】
本発明は、電気光学装置の表示部を初期化する技術に関する。
【背景技術】
【０００２】
電気泳動方式の表示装置においては、新しい画像を表示するときに前の画像の残像が残るのを防ぐ発明として特許文献１に開示された表示装置がある。この表示装置は、隣り合う画素の一方を黒、他方を白にした第１の市松模様の表示と、第１の市松模様で黒であった画素を白、白であった画素を黒にした第２の市松模様の表示を交互に行い、最後に全画素を白にした後で新しい画像を表示する。
【先行技術文献】
【特許文献】
【０００３】
【特許文献１】特開２００９−５８６４５号公報
【発明の概要】
【発明が解決しようとする課題】
【０００４】
ところで、電気泳動方式の表示装置においては、全画素を白の状態にしてから新たに黒の画像を表示する場合、黒の画像の輪郭部分の画素に隣り合う白の画素においても黒の電気泳動粒子が移動してしまい、黒として知覚される領域が黒にした画素の領域より広がって見えてしまうことがある。また、新しい画像を表示する前に全画素を黒にしたとしても、新たに白の画像を表示する場合、白の画像の輪郭部分の画素に隣り合う黒の画素においても白の電気泳動粒子が移動してしまい、白として知覚される領域が白にした画素の領域より広がって見えてしまうことがある。
【０００５】
本発明は、上述した課題に鑑みてなされたもので、その目的の１つは、初期化処理の後に表示した画像が画像を構成する画素の領域より広がって知覚されるのを抑えることにある。
【課題を解決するための手段】
【０００６】
上記目的を達成するために本発明に係る電気光学装置の駆動方法は、帯電した粒子を第１電極と前記第１電極に対となる第２電極との間に備える複数の画素を備えた表示部を具備する電気光学装置の駆動方法であって、前記表示部の画素を初期化する初期化処理は、前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする最終ステップで終了することを特徴とする。
本発明によれば、初期化処理の後に新たに画像を表示した場合、画像の輪郭部分の画素は、粒子の移動方向が第１電極から第２電極の方向へ移動するものと第２電極から第１電極のほうへ移動するものの両方があるため、表示した画像が表示した画像を構成する画素の領域より広がって知覚されるのを抑えることができる。
【０００７】
また本発明においては、前記初期化処理は、前記第１領域の画素の階調を前記最終ステップにおける階調と異なる階調とする一方、前記第２領域の画素の階調を前記最終ステップにおける階調と異なる階調とするステップを前記最終ステップの前に有する構成であってもよい。
この構成によれば、第１領域の画素の粒子と第２領域の画素の粒子が攪拌されるため、初期化前の画像の残像が視認されにくくなる。
【０００８】
また本発明においては、前記画素は行列で配置され、前記画素毎に前記画素の表示状態を定める画素回路を備え、前記画素回路の行毎に走査線を備え、前記画素回路の列毎にデータ線を備え、前記第１領域および前記第２領域は、前記データ線の伸びる方向に沿った領域である構成としてもよい。
この構成によれば、走査線を選択する毎にデータ線に供給する信号を変化させなくてもよいため、消費電力を抑えることができる。
【０００９】
また本発明においては、前記初期化処理においては、前記初期化処理の前に前記表示部に表示されていた画像に応じて前記第１領域および前記第２領域の大きさを変更するする構成としてもよい。
この構成によれば、初期化前に表示されていた画像に応じて第１領域および第２領域の大きさが変更され、初期化前の画像の残像が視認されにくくなる。
【００１０】
また上記目的を達成するために本発明に係る電気光学装置の制御装置は、帯電した粒子を第１電極と前記第１電極に対となる第２電極との間に備える複数の画素を備えた表示部を具備する電気光学装置の制御装置であって、前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする処理で前記表示部の画素の初期化を終了する初期化手段を有することを特徴とする。
本発明によれば、初期化処理の後に新たに画像を表示した場合、画像の輪郭部分の画素は、粒子の移動方向が第１電極から第２電極の方向へ移動するものと第２電極から第１電極のほうへ移動するものの両方があるため、表示した画像が表示した画像を構成する画素の領域より広がって知覚されるのを抑えることができる。
【００１１】
また上記目的を達成するために本発明に係る電気光学装置は、帯電した粒子を第１電極と前記第１電極に対となる第２電極との間に備える複数の画素を備えた表示部を具備する電気光学装置であって、前記表示部において互いに隣り合い、それぞれ１または複数の前記画素からなる第１領域および第２領域のうち、前記第１領域の画素の階調と、前記第２領域の画素の階調を異ならせて前記表示部を面積階調の中間調にする処理で前記表示部の画素の初期化が終了されることを特徴とする。
本発明によれば、初期化処理の後に新たに画像を表示した場合、画像の輪郭部分の画素は、粒子の移動方向が第１電極から第２電極の方向へ移動するものと第２電極から第１電極のほうへ移動するものの両方があるため、表示した画像が表示した画像を構成する画素の領域より広がって知覚されるのを抑えることができる。
【００１２】
なお、本発明は、電気光学装置のみならず、当該電気光学装置を有する電子機器としても概念することができる。
【図面の簡単な説明】
【００１３】
【図１】本発明の一実施形態に係わる電気光学装置１の構成を示した図。
【図２】表示部３の部分断面図。
【図３】画素回路１１０の構成を示した図。
【図４】初期化処理を説明するための図。
【図５】初期化処理の効果を説明するための図。
【図６】電子ブックリーダー１０００の外観図。
【図７】変形例に係わる初期化処理を説明するための図。
【図８】変形例に係わる初期化処理を説明するための図。
【図９】変形例に係わる初期化処理を説明するための図。
【図１０】変形例に係わる初期化処理を説明するための図。
【発明を実施するための形態】
【００１４】
［実施形態］
（実施形態の構成）
図１は、本発明の一実施形態に係わる電気光学装置１の構成を示した図である。電気光学装置１は、コントローラー２、表示部３、走査線駆動回路４およびデータ線駆動回路５を備えている。コントローラー２は、表示部３が備える画素を駆動するための各種信号を出力して各部を制御する制御装置である。表示部３においては、行方向（Ｘ方向）に沿ってｍ行の走査線１１２が設けられており、列方向（Ｙ方向）に沿ってｎ列のデータ線１１４が設けられている。また表示部３においては、行方向と列方向に沿って画素回路１１０がｍ行×ｎ列でマトリクス状に設けられている。画素回路１１０は、走査線１１２およびデータ線１１４に接続されている。例えば、１行１列目の画素回路１１０は、１行目の走査線１１２と１列目のデータ線１１４に接続されている。
【００１５】
図２は、表示部３の部分断面図である。表示部３は、図２に示したように大別して第１基板１０、電気泳動層２０、第２基板３０によって構成されている。第１基板１０は、絶縁性及び可撓性を有する基板１１上に回路の層が形成された基板である。基板１１は、本実施形態においてはポリカーボネートで形成されている。なお、基板１１としては、ポリカーボネートに限定されることなく、軽量性、可撓性、弾性及び絶縁性を有する樹脂材料を用いることができる。また、基板１１は、可撓性を持たないガラスで形成されていてもよい。基板１１の表面には、接着層１１ａが設けられ、接着層１１ａの表面には回路層１２が積層されている。
【００１６】
回路層１２は、行方向に配列された複数の走査線１１２と、各走査線１１２と電気的に絶縁を保つように設けられ列方向に配列された複数のデータ線１１４とを有している。また、回路層１２は、スイッチング素子であるｎチャネル型の薄膜トランジスター（thin film transistor：以下「ＴＦＴ」と略称する）で構成された画素回路１１０と、画素電極１３ａ（第１電極）を有している。画素回路１１０の構成については後述する。
【００１７】
電気泳動層２０は、バインダー２２と、バインダー２２によって固定された複数のマイクロカプセル２１で構成されており、画素電極１３ａ上に形成されている。なお、マイクロカプセル２１と画素電極１３ａとの間には、接着剤により形成された接着層を設けてもよい。
【００１８】
バインダー２２としては、マイクロカプセル２１との親和性が良好で電極との密着性が優れ、且つ絶縁性を有するものであれば特に制限はない。マイクロカプセル２１内には、分散媒と電気泳動粒子が格納されている。マイクロカプセル２１を構成する材料としては、アラビアゴム・ゼラチン系の化合物やウレタン系の化合物等の柔軟性を有するものを用いるのが好ましい。
【００１９】
分散媒としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などのいずれかを用いることができ、また、分散媒は、その他の油類であってもよい。また、これらの物質は単独又は混合して分散媒に用いることができ、さらに界面活性剤などを配合して分散媒としてもよい。
【００２０】
電気泳動粒子は、分散媒中で電界によって移動する性質を有する粒子（高分子あるいはコロイド）である。本実施形態においては白の電気泳動粒子と黒の電気泳動粒子がマイクロカプセル２１内に格納されている。黒の電気泳動粒子は、例えば、アニリンブラックやカーボンブラック等の黒色顔料からなる粒子であり、本実施形態では正に帯電されている。白の電気泳動粒子は、例えば、二酸化チタンや酸化アルミニウム等の白色顔料からなる粒子であり、本実施形態では負に帯電されている。
【００２１】
第２基板３０は、フィルム３１と、フィルム３１の下面に形成された共通電極層３２（第２電極）で構成されている。フィルム３１は、電気泳動層２０の封止及び保護の役割を担うものであり、例えばポリエチレンテレフタレートのフィルムである。フィルム３１は、透明で絶縁性を有している。共通電極層３２は、例えば、酸化インジウム膜（ＩＴＯ膜）などの透明な導電膜で構成されている。なお、本実施形態においてはフィルム３１側が、ユーザーが画像を視認する側となる。
【００２２】
図１に戻り、走査線駆動回路４は、表示部３の各走査線１１２と接続されており、１、２、…、ｍ行目の走査線１１２に走査信号Ｙ１、Ｙ２、…、Ｙｍを供給する。具体的には、走査線駆動回路４は、走査線１１２を１、２、…、ｍ行目という順番で排他的に選択し、選択した走査線１１２にＨ（Ｈｉｇｈ）レベルの信号を供給し、選択されていない走査線１１２にＬ（Ｌｏｗ）レベルの信号を供給する。
【００２３】
データ線駆動回路５は、表示部３の各データ線１１４に接続されており、コントローラー２から供給される信号に応じて、１、２、…、ｎ列目のデータ線１１４にデータ信号Ｘ１、Ｘ２、…、Ｘｎを供給する。なお、コントローラー２、走査線駆動回路４およびデータ線駆動回路５を合わせて電気光学装置１の制御装置と定義することもできる。
また、コントローラー２、またはコントローラー２、走査線駆動回路４およびデータ線駆動回路５を合わせたものは、表示部３の初期化を行うため、電気光学装置の初期化手段と定義することもできる。
【００２４】
図３は、画素回路１１０の構成を示した図である。なお、図３においては、１行１列目の画素回路１１０を示している。各画素回路１１０の構成は同じであるため、ここでは代表して１行１列目の画素回路１１０について説明し、他の画素回路１１０については説明を省略する。
【００２５】
画素回路１１０では、ＴＦＴ１３１のゲートが走査線１１２に接続され、ＴＦＴ１３１のソースがデータ線１１４に接続されている。また、ＴＦＴ１３１のドレインが画素電極１３ａに接続されている。画素電極１３ａは、共通電極層３２と対向し、画素電極１３ａと共通電極層３２との間には電気泳動層２０が挟まれている。この一の画素電極１３ａと共通電極層３２との間にあるマイクロカプセル２１が表示部３において一の画素１００となる。なお、画素回路１１０においては、電気泳動層２０と並列に保持容量Ｃ１が接続されている。また、共通電極層３２の電位は予め定められた電位Ｖｃｏｍにされている。
【００２６】
（画素の駆動方法）
次に、画素１００の駆動方法について説明する。まず走査線駆動回路４により一の走査線１１２が選択され、選択された走査線１１２がＨレベルとなると、当該走査線１１２にゲートが接続されたＴＦＴ１３１がオン状態になり、画素電極１３ａがデータ線１１４に接続される。このため、走査線１１２がＨレベルであるときに、データ線１１４にデータ信号を供給すると、当該データ信号は、オン状態になったＴＦＴ１３１を介して画素電極１３ａに印加される。走査線１１２がＬレベルになると、ＴＦＴ１３１はオフ状態になるが、データ信号によって画素電極１３ａに印加された電圧は、保持容量Ｃ１に蓄積され、画素電極１３ａの電位及び共通電極層３２の電位との電位差（電圧）に応じて電気泳動粒子が移動する。
例えば、共通電極層３２の電位Ｖｃｏｍに対して画素電極１３ａの電位が高位（例えば＋１５Ｖ）である場合、負に帯電している白の電気泳動粒子が画素電極１３ａ側に移動し、正に帯電している黒の電気泳動粒子が共通電極層３２側に移動して画素１００が黒の表示となる。また、共通電極層３２の電位Ｖｃｏｍに対して画素電極１３ａの電位が低位（例えば−１５Ｖ）である場合、正に帯電している黒の電気泳動粒子が画素電極１３ａ側に移動し、負に帯電している白の電気泳動粒子が共通電極層３２側に移動して画素１００が白の表示となる。なお、画素１００は記憶性を有するため、画素電極１３ａへの電圧の印加が停止されても黒または白の表示状態を維持する。
【００２７】
（表示部３の初期化処理）
次に、本実施形態において新たな画像を表示部３に表示させる前に行う初期化処理について説明する。図４（ａ）と図４（ｂ）は、初期化処理中において表示部３に表示される画像の一部を拡大した図である。なお、図４（ａ）と図４（ｂ）は、１行１列目の画素１００から列方向に１０行分と、行方向に１０列分の画素１００の領域を拡大したものである。
【００２８】
まず初期化処理の第１ステップにおいては、コントローラー２は、画素１００の表示状態を規定する映像信号であって、奇数行で且つ奇数列の画素１００を黒の表示にし、奇数行で且つ偶数列の画素１００を白の表示にする映像信号と、偶数行で且つ奇数列の画素１００を白の表示にし、偶数行で且つ偶数列の画素１００を黒の表示にする映像信号をデータ線駆動回路５へ供給する。例えば、１行目の画素１００について見ると、１行目の走査線１１２がＨレベルである期間に奇数列のデータ線１１４がＨレベルとなり、偶数列のデータ線１１４がＬレベルとなる。これにより、ＴＦＴ１３１がオンである期間において共通電極層３２の電圧Ｖｃｏｍより高位の電圧が１行目で奇数列の画素回路１１０の画素電極１３ａに印加され、共通電極層３２より低位の電圧が１行目で偶数列の画素回路１１０の画素電極１３ａに印加される。画素電極１３ａの電圧が共通電極層３２の電圧より高位となると、黒の電気泳動粒子が共通電極層３２側に移動し、図４（ａ）に示したように１行目において奇数列の画素１００は黒になり、画素電極１３ａの電圧が共通電極層３２の電圧より低位となると、白の電気泳動粒子が共通電極層３２側に移動し、図４（ａ）に示したように１行目において偶数列の画素１００は白になる。
【００２９】
また２行目の画素１００について見ると、１行目の走査線１１２がＬレベルとなった後、２行目の走査線１１２がＨレベルである期間に奇数列のデータ線１１４がＬレベルとなり、偶数列のデータ線１１４がＨレベルとなる。これにより、ＴＦＴ１３１がオンである期間において共通電極層３２の電圧Ｖｃｏｍより低位の電圧が２行目で奇数列の画素回路１１０の画素電極１３ａに印加され、共通電極層３２より高位の電圧が２行目で偶数列の画素回路１１０の画素電極１３ａに印加される。画素電極１３ａの電圧が共通電極層３２の電圧より低位となると、白の電気泳動粒子が共通電極層３２側に移動し、２行目において奇数列の画素１００は白になり、画素電極１３ａの電圧が共通電極層３２の電圧より高位となると、黒の電気泳動粒子が共通電極層３２側に移動し、２行目において偶数列の画素１００は黒になる。
【００３０】
つまり、第１ステップにおいては、奇数行奇数列の画素１００の各々と偶数行偶数列の画素１００の各々が第１領域となり、奇数行奇数列の画素１００の各々と偶数行偶数列の画素１００の各々が第２領域となり、第１領域と第２領域とで異なる階調になる。
また、このように第１ステップが終了した後は、表示部３においては行方向と列方向とで黒の画素と白の画素が交互に並ぶこととなり、市松模様が表示されることとなる。なお、本実施形態において一の画素１００の領域は微少であるため、表示部３においては微少な黒の領域と微少な白の領域とが交互に並ぶこととなり、人間の目には黒と白が混ざったグレーとして視認される。
【００３１】
次に初期化処理の第２ステップにおいては、コントローラー２は、奇数行で且つ奇数列の画素１００を白の表示にし、奇数行で且つ偶数列の画素１００を黒の表示にする映像信号と、偶数行で且つ奇数列の画素１００を黒の表示にし、偶数行で且つ偶数列の画素１００を白の表示にする映像信号をデータ線駆動回路５へ供給する。例えば、１行目の画素１００について見ると、１行目の走査線１１２がＨレベルである期間に奇数列のデータ線１１４がＬレベルとなり、偶数列のデータ線１１４がＨレベルとなる。これにより、ＴＦＴ１３１がオンである期間において共通電極層３２より低位の電圧が１行目で奇数列の画素回路１１０の画素電極１３ａに印加され、共通電極層３２より高位の電圧が１行目で偶数列の画素回路１１０の画素電極１３ａに印加される。画素電極１３ａの電圧が共通電極層３２の電圧より低位となると、白の電気泳動粒子が共通電極層３２側に移動し、１行目において奇数列の画素１００は白になり、画素電極１３ａの電圧が共通電極層３２の電圧より高位となると、黒の電気泳動粒子が共通電極層３２側に移動し、１行目において偶数列の画素１００は黒になる。
【００３２】
また２行目の画素１００について見ると、１行目の走査線１１２がＬレベルとなった後、２行目の走査線１１２がＨレベルである期間に奇数列のデータ線１１４がＨレベルとなり、偶数列のデータ線１１４がＬレベルとなる。これにより、ＴＦＴ１３１がオンである期間において共通電極層３２より高位の電圧が２行目で奇数列の画素回路１１０の画素電極１３ａに印加され、共通電極層３２より低位の電圧が２行目で偶数列の画素回路１１０の画素電極１３ａに印加される。画素電極１３ａの電圧が共通電極層３２の電圧より高位となると、黒の電気泳動粒子が共通電極層３２側に移動し、２行目において奇数列の画素１００は黒になり、画素電極１３ａの電圧が共通電極層３２の電圧より低位となると、黒の電気泳動粒子が共通電極層３２側に移動し、２行目において偶数列の画素１００は白になる。
【００３３】
つまり、第２ステップにおいては、奇数行奇数列の画素１００の各々と偶数行偶数列の画素１００の各々が第１領域となり、奇数行奇数列の画素１００の各々と偶数行偶数列の画素１００の各々が第２領域となり、第１領域と第２領域は、第１ステップとは異なる階調になる。
また第２ステップが終了した後も表示部３においては行方向と列方向とで黒の画素と白の画素が交互に並ぶこととなり、市松模様が表示されて人間の目には黒と白が混ざったグレーとして視認される。このように初期化処理中においてはグレーの画像が視認されるため、初期化処理中に全画素を黒にした後に全画素を白にする場合と比較すると、初期化処理中において画像の変化が視認されにくくなり、初期化処理中にユーザーが不快を感じることが少なくなる。また、初期化処理において第１ステップと第２ステップとを行うことで各画素１００において黒の電気泳動粒子と白の電気泳動粒子が画素電極１３ａと共通電極層３２との間で移動して攪拌されるため、初期化処理が終了した後で残像が視認されにくくなる。
【００３４】
第２ステップが終了すると、新たに表示する画像を表す映像信号がコントローラー２からデータ線駆動回路５へ供給され、表示部３には新たな画像が表示される。新たに画像を表示する際には、画素１００が記憶性を有することを利用し、第２ステップを終了した状態から表示が変化しない画素１００については画素電極１３ａに印加する電圧を共通電極層３２に印加されている電圧Ｖｃｏｍと同じ電圧にする。
【００３５】
なお、図４（ｂ）の市松模様の状態から新たな画像に変更すると、白から黒に変化する画素１００、黒から白に変化する画素１００、および表示状態が変化しない画素１００が生じる。ここで図５（ａ）の第２ステップを終了した状態から、例えば１〜５列目までを黒にし、６〜１０列目までを白にして図５（ｂ）の状態にする場合、黒の表示となる領域と白の表示となる領域の境界部分について注目すると、６列目において黒から白に変化する画素（６列目において奇数行の画素）がある。図５（ｂ）の画像を表示する際には、６列目の奇数行においては黒の電気泳動粒子が画素電極１３ａ側に引き寄せられるため、６列目においては、５列目の黒の電気泳動粒子の移動につられて共通電極層３２側に移動する黒の電気泳動粒子が少なく、全画素１００が白の状態から画像を表示する場合と比較すると、黒として視認される領域が実際に黒にする領域より広くならないこととなる。
【００３６】
また、初期化処理を行った後に新たに画像を表示しない場合、時間の経過とともに電気泳動粒子が移動する。ここで、従来のように全画素を黒または白にする初期化処理だと、黒および白の電気泳動粒子の移動により画素は白または黒からグレーの表示となり、初期化した画面の変化がユーザーに視認されやすいが、本実施形態においては、初期化処理が終了した時点でユーザーには画面はグレーとして視認されるため、市松模様の黒の画素と白の画素がグレーの表示となっても初期化した画面の変化がユーザーに視認されにくくなる。
【００３７】
［電子機器］
次に、上述した実施形態に係る電気光学装置を適用した電子機器の例について説明する。図６は、当該電気光学装置を用いた電子ブックリーダーの外観を示した図である。電子ブックリーダー１０００は、板状のフレーム１００１と、ボタン９Ａ〜９Ｆと、上述した実施形態または変形例に係る電気光学装置を備えている。ただし、図においては電気光学装置のうち、表示部３のみが露出している。電子ブックリーダー１０００においては、電子書籍の内容が表示部３に表示され、ボタン９Ａ〜９Ｆを操作することにより電子書籍のページがめくられる。
なお、このほかにも、上述した実施形態や変形例に係る電気光学装置が適用可能な電子機器としては、時計や、電子ペーパー、電子手帳、電卓、携帯電話機等などが挙げられる。
【００３８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３９】
上述した実施形態においては、初期化処理において第１ステップで図４（ａ）の画像を表示し、第２ステップで図４（ｂ）の画像を表示しているが、本発明においては、第１ステップで図４（ｂ）の画像を表示し、第２ステップで図４（ａ）の画像を表示するようにしてもよい。
また、本発明においては、初期化処理において全画素１００を黒にした後に全画素１００を白にし、この後に図４（ａ）または図４（ｂ）の画像を表示してもよく、また、全画素１００を黒にした後に全画素１００を白にし、この後に図４（ａ）と図４（ｂ）の画像を交互に表示して初期化処理が終了した時点で図４（ａ）または図４（ｂ）の画像が表示されるようにしてもよい。
また、上述した実施形態においては、図４（ａ）の画像と図４（ｂ）の画像は、黒の画素１００と白の画素１００の比が５０：５０となっているが、面積階調で中間調となるのであれば初期化処理中に表示される画像中の黒の画素１００と白の画素１００の比は、５０：５０に限定されるものではなく他の比であってもよい。
【００４０】
上述した実施形態においては、初期化処理中において市松模様を表示する構成となっているが、初期化処理中に表示する画像は市松模様に限定されるものではない。例えば、第１ステップにおいて、図７（ａ）に示したように奇数列の画素１００を黒、偶数列の画素１００を白とした縞模様の画像を表示し、第２ステップにおいて、図７（ｂ）に示したように奇数列の画素１００を白、偶数列の画素１００を黒とした縞模様の画像を表示する構成であってもよい。また、第１ステップにおいて、奇数行の画素１００を黒、偶数行の画素１００を白とした縞模様の画像を表示し、第２ステップにおいて、奇数行の画素１００を白、偶数行の画素１００を黒とした縞模様の画像を表示する構成であってもよい。
【００４１】
上述した実施形態においては、初期化処理中は１画素ずつ交互に黒と白が隣り合う構成となっているが、例えば、初期化処理において、図８（ａ）に示したように２行ずつ交互に画素１００を黒と白にし、２列ずつ交互に画素１００を黒と白にする表示と、図８（ｂ）に示したように図８（ａ）において黒の部分を白にし、図８（ａ）において白の部分を黒にした表示を順番に表示する構成としてもよい。このようにすれば、１画素ずつ交互に黒と白が隣り合う構成と比較して、データ線１１４の電位の遷移回数が減少するため、消費電力を抑えることができる。
また、初期化処理においては、例えば図９（ａ）に示したように２行２列の画素を１ブロックとし、１ブロックのうち３つの画素１００を黒、残り１つを白とした第１ブロックＢ１と、１ブロックのうち３つの画素１００を白、残り１つを黒とした第２ブロックＢ２が上下左右に隣り合う画像を表示した後、図９（ｂ）に示したように第１ブロックＢ１と第２ブロックＢ２の位置を入れ替える構成としてもよい。このようにすれば、１画素ずつ交互に黒と白が隣り合う構成と比較して、初期化処理中の第１領域と第２領域の配置の不規則性が増すため、より残像を見え難くすることができる。
【００４２】
また、本発明においては、図１０（ａ）に示したように第１ステップでは奇数行の画素１００及び奇数列の画素１００を黒、偶数行の画素１００及び偶数列の画素１００を白とし、第２ステップでは図１０（ｂ）に示したように奇数行の画素１００及び奇数列の画素１００を白、偶数行の画素１００及び偶数列の画素１００を黒とする構成であってもよい。このように第１領域と第２領域の面積が異なる態様であっても、上記実施形態と同様の効果が得られる。また、このように第１ステップと第２ステップとが反転表示の関係とならない態様であっても、あるいは第１ステップと第２ステップとで表示が変わらない画素が存在する態様であっても、上記実施形態と同様の効果が得られる。
【００４３】
また、本発明においては、電子ブックリーダー１０００の電源となる充電池の残量に応じて初期化処理中に表示する画像を切り換えるようにしてもよい。例えば、充電池の残量が予め定められた閾値以上である場合には初期化処理中において図４（ａ）に示した画像と図４（ｂ）に示した画像を表示し、充電池の残量が閾値未満の場合には図８（ａ）に示した画像と図８（ｂ）に示した画像を表示する構成としてもよい。
また、本発明においては、初期化処理を行う前に表示されていた画像の内容に応じて初期化処理中に表示する画像を変更するようにしてもよい。例えば、文字列を表示している場合、フォントのサイズが予め定められたサイズ以下である場合には初期化処理において図４（ａ）に示した画像と図４（ｂ）に示した画像を表示し、フォントのサイズが予め定められたサイズを超えている場合には、初期化処理において図８（ａ）に示した画像と図８（ｂ）に示した画像を表示する構成としてもよい。このようにすれば、初期化処理を行う前に表示されていた画像の残像が視認されにくい状態とできる範囲において、データ線１１４の電位の遷移回数を最小限とすることができ、消費電力を低減させることができる。
【００４４】
上述した実施形態では、図４（ａ）の画像を１回表示した後、図４（ｂ）の画像を１回表示する構成となっているが、図４（ａ）の表示と図４（ｂ）の表示を交互に複数回行う構成としてもよい。また、１行目の走査線１１２からｍ行目の走査線１１２の選択が終了するまでの期間を１フレームとし、連続する複数フレーム毎に図４（ａ）の画像が表示されるように各データ線１１４に電圧を印加し、次の連続する複数フレーム毎に図４（ｂ）の画像が表示されるように各データ線１１４に電圧を印加する構成としてもよい。
【００４５】
上述した実施形態においては、図４（ａ）と図４（ｂ）における黒の画素１００と白の画素１００の比が５０：５０で固定となっているが、この比を変更可能としてもよい。例えば、画素１００の特性を測定し、全画素１００が白の状態から新たに画像を表示したときに黒の領域が拡がりやすい場合には、初期化中に表示する画像において白となる画素１００の割合が多くなるようにしてもよい。
【００４６】
上述した実施形態においては、初期化処理において第１ステップで表示する画像と第２ステップで表示する画像は、黒の画素と白の画素の比が同じとなっているが、例えば、段階的に黒の画素の割合が多くなるようにしてもよく、また段階的に白の画素の割合が多くなるようにしてもよい。
【００４７】
また本発明においては、第１ステップにおいては、表示部３の上半分について奇数行で且つ奇数列の画素１００を白、奇数行で且つ偶数列の画素１００を黒、偶数行で且つ奇数列の画素１００を黒、偶数行で且つ偶数列の画素１００を白とし、表示部３の下半分について奇数行で且つ奇数列の画素１００を黒、奇数行で且つ偶数列の画素１００を白、偶数行で且つ奇数列の画素１００を白、偶数行で且つ偶数列の画素１００を黒としてもよい。また、第２ステップにおいては、表示部３の上半分について奇数行で且つ奇数列の画素１００を黒、奇数行で且つ偶数列の画素１００を白、偶数行で且つ奇数列の画素１００を白、偶数行で且つ偶数列の画素１００を黒とし、表示部３の下半分について奇数行で且つ奇数列の画素１００を白、奇数行で且つ偶数列の画素１００を黒、偶数行で且つ奇数列の画素１００を黒、偶数行で且つ偶数列の画素１００を白としてもよい。
【００４８】
また、本発明においては、第１ステップにおいては、表示部３の左半分について奇数行で且つ奇数列の画素１００を白、奇数行で且つ偶数列の画素１００を黒、偶数行で且つ奇数列の画素１００を黒、偶数行で且つ偶数列の画素１００を白とし、表示部３の右半分について奇数行で且つ奇数列の画素１００を黒、奇数行で且つ偶数列の画素１００を白、偶数行で且つ奇数列の画素１００を白、偶数行で且つ偶数列の画素１００を黒としてもよい。また、第２ステップにおいては、表示部３の左半分について奇数行で且つ奇数列の画素１００を黒、奇数行で且つ偶数列の画素１００を白、偶数行で且つ奇数列の画素１００を白、偶数行で且つ偶数列の画素１００を黒とし、表示部３の右半分について奇数行で且つ奇数列の画素１００を白、奇数行で且つ偶数列の画素１００を黒、偶数行で且つ奇数列の画素１００を黒、偶数行で且つ偶数列の画素１００を白としてもよい。
【００４９】
上述した各実施形態や各変形例においては、電気光学装置１は、電気泳動方式の装置であって、マイクロカプセル２１内に黒の電気泳動粒子と白の電気泳動粒子が封入され、対向する画素電極１３ａと共通電極層３２との間にマイクロカプセル２１が配置されているマイクロカプセル方式であるが、電気光学装置は、マイクロカプセル方式に限定されるものではない。例えば、本発明に係わる電気光学装置は、水平型電気泳動方式であってもよい。また、本発明に係わる電気光学装置は、電子粉流体（登録商標）を用いた方式でもよく、帯電トナー型方式であってもよい。
【符号の説明】
【００５０】
１…電気光学装置、２…コントローラー、３…表示部、４…走査線駆動回路、５…データ線駆動回路、９Ａ〜９Ｆ…ボタン、１０…第１基板、１１…基板、１１ａ…接着層、１２…回路層、１３ａ…画素電極、２０…電気泳動層、２１…マイクロカプセル、２２…バインダー、３０…第２基板、３１…フィルム、３２…共通電極層、１００…画素、１１２…走査線、１１０…画素回路、１１４データ線、１３１…ＴＦＴ、Ｂ１…第１ブロック、Ｂ２…第２ブロック、Ｃ１…補助容量
【図１】
2012194344.tif 000003
【図２】
2012194344.tif 000004
【図３】
2012194344.tif 000005
【図４】
2012194344.tif 000006
【図５】
2012194344.tif 000007
【図６】
2012194344.tif 000008
【図７】
2012194344.tif 000009
【図８】
2012194344.tif 000010
【図９】
2012194344.tif 000011
【図１０】
2012194344.tif 000012